(57)【要約】【課題】  誤送信が防止でき、使用者が安心して使用できる画像形成装置を提供する。【解決手段】  新たな画像を送信するために宛先を入力すると、画像形成装置内に保持されている宛先情報を照合して一致するものがあればそのサムネール画像と属性情報とを読み出して表示する。使用者はここに表示された情報を見て宛先が誤りであると気づけば送信操作をキャンセルすることができる。さらに表示された情報の中に、送信待機中で送信インフラも一致するファイルがあれば列信を行うかどうかを問うメッセージを表示して使用者に選択させることができる。【選択図】        図４
2005236689.tif 000002
【特許請求の範囲】
【請求項１】
画像の送受信を行う画像形成装置であって、過去に送信した送信画像の属性情報を保存する記憶手段と、前記過去に送信した送信画像のサムネール画像を前記属性情報とあわせて表示する表示手段とを備えたことを特徴とする画像形成装置。
【請求項２】
前記表示手段は、前記属性情報から画像データの格納先を参照して、前記送信画像のサムネール画像を表示することを特徴とする請求項１記載の画像形成装置。
【請求項３】
前記表示手段は、新たな画像を送信するとき、前記記憶手段に保存されている同一送信宛先の属性情報およびサムネール画像とを表示することを特徴とする請求項１記載の画像形成装置。
【請求項４】
前記表示手段は、新たな画像を送信するとき、前記記憶手段に保存されている同一送信宛先の送信画像のなかに送信待機状態のものがあれば、新たな送信画像と前記送信待機状態の画像とを単一の送信手順において送信することを許容するか否かを選択可能に表示することを特徴とする請求項１または３記載の画像形成装置。
【発明の詳細な説明】
【技術分野】
【０００１】
本発明は、スキャナ、ファクシミリ、コピー複合機（ＭＦＰ）等の画像送信機能を持った画像形成装置に関する。
【背景技術】
【０００２】
ファクシミリ等を用いて画像を送信しようとするとき、宛先設定間違いによる誤送信が常に使用上の不安事項となっている。この問題に対しては、送信する相手先を登録しておくことにより、１０桁近い番号を毎回打ち込まなくても正しい相手先を選択できるようにしたワンタッチダイヤル等が知られている。また、従来からファクシミリにおいて提供されている列信機能がある。この機能は、相手が話中の時等で送信が待機状態にあるとき、新たな送信を行うときに一緒に送信する機能である。列信はＧ３ファクシミリにおいては通信料金を軽減する有効な手段である。
近年、画像形成装置は高機能化が進み、併せて種々画像の画像形成装置内への保存手段（ＨＤＤ、フラッシュメモリなど）や大画面表示手段（ＬＣＤなど）を装備するようになってきている。画像形成装置内に保存した画像の確認、再利用を確実かつ効率的に行うようにするための手段として画像のサムネール（縮小）表示がある（例えば特許文献１）。特許文献１では、読み取り原稿の一部を拡大あるいは縮小したしおりを作成して、宛先情報と結び付けることにより、ファクシミリ文書管理の効率化を図っている。
【特許文献１】特開２００１−６９２７３公報
【発明の開示】
【発明が解決しようとする課題】
【０００３】
しかしながら、特許文献１では、受信あるいは送信後の文書管理には適しているが、送信時の誤発信の防止や送信待機状態の列信処理は行えず、安全で効率の良い画像送信の解決にはなっていない。また、列信機能を有効とするか無効とするかを選択したいというニーズがある。列信はＧ３ファクシミリにおいては通信料金を軽減する有効な手段であるが、送信スピードの早いインターネットを使用した場合では、そのニーズは小さくなっている。従って多様化する通信インフラやユーザの機器運用等により、列信機能を有効とするか無効とするかを選択できることが望まれる。
本発明は、上述した実情を考慮してなされたものであって、誤送信が防止でき、使用者が安心して使用できる画像形成装置を提供することを目的とする。
【課題を解決するための手段】
【０００４】
上記の課題を解決するために、請求項１に記載の画像形成装置は、画像の送受信を行う画像形成装置であって、過去に送信した送信画像の属性情報を保存する記憶手段と、前記過去に送信した送信画像のサムネール画像を前記属性情報とあわせて表示する表示手段とを備えたことを特徴とする。
また、請求項２は、請求項１記載の画像形成装置において、前記表示手段は、前記属性情報から画像データの格納先を参照して、前記送信画像のサムネール画像を表示することを特徴とする。
また、請求項３は、請求項１記載の画像形成装置において、前記表示手段は、新たな画像を送信するとき、前記記憶手段に保存されている同一送信宛先の属性情報およびサムネール画像とを表示することを特徴とする。
また、請求項４は、請求項１または３記載の画像形成装置において、前記表示手段は、新たな画像を送信するとき、前記記憶手段に保存されている同一送信宛先の送信画像のなかに送信待機状態のものがあれば、新たな送信画像と前記送信待機状態の画像とを単一の送信手順において送信することを許容するか否かを選択可能に表示することを特徴とする。
【発明の効果】
【０００５】
本発明によれば、画像形成装置上でサムネール画像とその宛先情報とを検索、表示することにより、誤送信が防止でき、使用者が安心感をもって画像形成装置を使用することができる。
【発明を実施するための最良の形態】
【０００６】
以下、図面を参照して、本発明の実施形態を詳細に説明する。
図１は、本発明にかかる画像形成装置の機能ブロック図である。ＲＯＭ１０８に記憶されたファームウエアプログラムをＣＰＵ１０７で実行することによって各ブロックの機能が制御される。原稿送信時には、通信制御部１０５がモデム１１１と網制御装置１１２を制御してスキャナ１０１から読み取ったイメージ情報を公衆回線網に送出する。またＮＩＣ１０９を介して各種情報をネットワーク上で送受信する。操作表示部１０３では、各種ボタンからの入力情報を取り込み、これによる動作状態等を表示器（図示せず）に表示する。無線制御部１１０では携帯装置と正常に通信するためのデータ制御を行う。この無線通信Ｉ／Ｆは機器間の短距離の通信Ｉ／Ｆとして近年ではＢｌｕｅｔｏｏｔｈなどが知られている。
スキャナ１０１、プロッタ１０２、符号化／復号化部１０６、画像メモリ１０４を利用する事により、デジタルコピー、スキャナ、プリンタとしても機能する。両面読み取り、両面印字動作においては、メカ的な構造との関係で適宜、画像メモリ１０４に画情報が蓄積され、ページ順序性が制御される。
ハードディスクドライブ（ＨＤＤ）１１３は、各種処理プログラム、送信した画像や送信履歴などの送信した画像に対する属性情報、各種処理の中間結果等を格納するもので、ＲＡＭ１１４はＣＰＵ１０７がプログラムを実行する際の作業領域となっている。
メモリスロット１１５はフラッシュメモリなどのリムーバブルメモリを挿入するスロットで、フラッシュメモリにはＨＤＤ１１３と同様にプログラムや送信画像、属性情報等を格納することができるようになっている。
【０００７】
図２は、送信画像の属性情報を説明する図である。画像形成装置に蓄積された画像データと、その属性情報とは別の記憶領域に保存されており、図２に示すのは属性情報の例である。送信宛先、送信インフラ、文書状態等の管理情報に付随して、画像データの格納先が記憶されている。これらの情報を基に新たな送信ファイルを作成する際に、送信宛先を照合して一致する画像ファイルの属性情報および画像データを読み出して操作表示部１０３の表示部に表示することができる。
図３は、本発明にかかる操作表示部１０３の表示部に表示されるサムネール画像とその属性情報の例を示す図である。上記図２で説明した属性情報を順次読み出して表示したものであるが、ファイル検索等の機能により、特定の宛先の情報のみを表示することもできる。通常は送信された順に読み出されるので、表示の順序を逆にすれば、最近から過去に遡って送信した内容を確認することもできる。
図４は、新たな画像を送信する際の表示例を示す図である。新たな画像を送信するために宛先を入力すると、画像形成装置内に保持されている宛先情報を照合して一致するものがあればそのサムネール画像と属性情報とを読み出して表示する。使用者はここに表示された情報を見て宛先が誤りであると気づけば送信操作をキャンセルすることができる。
さらに表示された情報の中に、送信待機中で送信インフラも一致するファイルがあれば列信の対象とできるため、このファイルとの列信を行うかどうかを問うメッセージを表示して、使用者に選択させることができる。
【図面の簡単な説明】
【０００８】
【図１】本発明にかかる画像形成装置の機能ブロック図。
【図２】送信画像の属性情報を説明する図。
【図３】サムネール画像とその属性情報の表示例を示す図。
【図４】新たな画像を送信する際の表示例を示す図。
【符号の説明】
【０００９】
１０１  スキャナ
１０２  プロッタ
１０３  走査表示部
１０４  画像メモリ
１０５  通信制御部
１０６  符号化／復号化部
１０７  ＣＰＵ
１０８  ＲＯＭ
１０９  ＮＩＣ
１１０  無線制御部
１１１  モデム
１１２  網制御装置
１１３  ハードディスクドライブ（ＨＤＤ）
１１４  ＲＡＭ
１１５  メモリスロット
【図１】
2005236689.tif 000003
【図２】
2005236689.tif 000004
【図３】
2005236689.tif 000005
【図４】
2005236689.tif 000006